(57)【要約】【課題】  容器を薄型化しても紫外線などのバリア性を保持できるように工夫した食品用容器を提供することを課題とする。【解決手段】  底部２１の周囲上方に筒状の胴部２２が形成され、且つ胴部２２の上方が開口された上面開口型の容器本体２と、容器本体２の胴部上方に取付け可能な取付用周壁部３１を有する蓋部材３と、容器本体２の胴部周囲に装着されたラベル５と、を有し、ラベル５の下端部が、少なくとも容器本体２の底部周囲に至り、ラベル５の上端部が、蓋部材３の取付用周壁部３１に重なるように装着されており、容器本体２及びラベル５の少なくとも何れか一方が遮光性を有する食品用容器。遮光性は、ラベル５及び容器本体２の胴部２２を通過する紫外線の光線透過率が１％以下とされている。【選択図】  図１
0003122242.tif 000002
【実用新案登録請求の範囲】
【請求項１】
底部の周囲上方に筒状の胴部が形成され、且つ胴部の上方が開口された上面開口型の容器本体と、容器本体の胴部上方に取付け可能な取付用周壁部を有する蓋部材と、容器本体の胴部周囲に装着されたラベルと、を有し、ラベルの下端部が、少なくとも容器本体の底部周囲に至り、ラベルの上端部が、蓋部材の取付用周壁部に重なるように装着されており、容器本体及びラベルの少なくとも何れか一方が遮光性を有することを特徴とする食品用容器。
【請求項２】
ラベル及び容器本体の胴部を通過する紫外線の光線透過率が１％以下である請求項１記載の食品用容器。
【請求項３】
ラベルが筒状の熱収縮性フィルムである請求項２記載の食品用容器。
【請求項４】
蓋部材が、胴部の上から押し込むことによって取付けられており、蓋部材の取付用周壁部の下端部が、ラベルの上端部を押圧してなる請求項２又は３記載の食品用容器。
【請求項５】
容器本体の胴部が円筒状に形成されていると共に、胴部に縦方向に伸びる凹み部が形成されている請求項３又は４記載の食品用容器。
【請求項６】
容器本体が、ポリプロピレンを主成分として含む樹脂成形品である請求項２〜５の何れかに記載の食品用容器。
【考案の詳細な説明】
【技術分野】
【０００１】
本考案は、上面開口型の容器本体に開閉蓋が設けられた食品用容器、特に、チューインガムなどの食品を収納する食品用容器に関する。
【背景技術】
【０００２】
従来、上面開口型の各種の食品用容器が知られている。食品の中で、例えば、粒状のチューインガムの容器として、上面開口型の容器本体に、開閉可能な蓋部材が設けられた合成樹脂製のガム容器が知られている（実用新案登録第３１０１９１４号公報）。
かかるガム容器は、比較的厚肉の合成樹脂射出成形品で形成されている。
【０００３】
ところで、上記ガム容器などの食品用容器について製造コストの削減が望まれている。容器に於いて製造コストを抑える手段としては、容器を薄肉化することが簡便な方法である。
しかしながら、容器の肉厚を薄くすると、光線やガス（水蒸気、酸素など）等のバリア性が低下する。
従って、容器を薄肉化すると、製造コストは抑えられるものの食品用の容器として重要なバリア性、特に紫外線などの光線に対するバリア性（以下、光線に対するバリア性を遮光性、ガスに対するバリア性をガスバリア性という場合がある）を確保できない。
【０００４】
【特許文献１】実用新案登録第３１０１９１４号公報
【考案の開示】
【考案が解決しようとする課題】
【０００５】
そこで、本考案は、紫外線などのバリア性を保持しつつ容器を薄肉化することもできる食品用容器を提供することを課題とする。
【課題を解決するための手段】
【０００６】
上記課題を解決するための手段として、本考案は、底部の周囲上方に筒状の胴部が形成され、且つ胴部の上方が開口された上面開口型の容器本体と、容器本体の胴部上方に取付け可能な取付用周壁部を有する蓋部材と、容器本体の胴部周囲に装着されたラベルと、を有し、ラベルの下端部が、少なくとも容器本体の底部周囲に至り、ラベルの上端部が、蓋部材の取付用周壁部に重なるように装着されており、容器本体及びラベルの少なくとも何れか一方が遮光性を有する食品用容器を提供する。
【０００７】
上記食品用容器は、容器本体の胴部周囲にラベルが装着され、このラベルの下端部が容器本体の底部周囲に至り、且つラベルの上端部が蓋部材の取付用周壁部に重なるように装着されているので、光線等の主たる進入面となる容器本体の胴部全体がラベルで覆われている。従って、光線等は、ラベルと胴部の２層を通過して容器内に進入することとなる。
そして、上記食品用容器は、容器本体及びラベルの少なくとも何れか一方が遮光性を有するので、例えば、コストを抑えるべく容器本体の胴部を薄肉化しても、胴部の遮光性の低下をラベルが補完するから、光線の進入を良好に遮断できる。
【０００８】
更に、好ましい態様では、上記ラベル及び容器本体を通過する紫外線の光線透過率が１％以下である上記食品用容器を提供する。
ここで、本考案に於いて、光線透過率とは、ＪＩＳ  Ｋ ７１０５に準拠して測定したものをいう。
光線などはラベル及び容器本体の胴部の２層を通過して容器内に進入するが、ラベル及び容器本体の胴部を通過する紫外線の透過率が１％以下に形成されていることにより、食品の品質保持上、特に重要な紫外線に対する遮光性に優れた食品用容器を提供できる。
【０００９】
また、好ましい態様では、上記ラベルが筒状の熱収縮性フィルムである上記各食品用容器を提供する。
ラベルとして筒状の熱収縮性フィルムを用いることにより、加熱により簡単に容器本体に密着状に装着できるので、ラベルの上下端部と容器本体の間に間隙が生じ難い。よって、ラベルと容器本体の間にガスなどが入ることを防止でき、これによりガスバリア性（特に水蒸気を遮断する防湿性）を良好に保持することができる。
【００１０】
さらに、好ましい態様では、上記蓋部材が、胴部の上から押し込むことによって取付けられており、蓋部材の取付用周壁部の下端部が、ラベルの上端部を押圧してなる上記各食品用容器を提供する。
かかる蓋部材は、胴部に押し込み装着することで、蓋部材の取付用周壁部の下端部がラベルの上端部を押圧し、蓋部材とラベルの境界に隙間が生じ難くなる。従って、蓋部材とラベルの間からガスなどが入ることを防止でき、これによりガスバリア性（特に防湿性）や遮光性を良好に保持することができる。また、蓋部材の取付用周壁部の下端部がラベルの上端部を押圧しているので、ラベルが回転することを防止できる。
【００１１】
また、好ましい態様では、上記容器本体の胴部が円筒状に形成されていると共に、胴部に、縦方向に伸びる凹み部が形成されている上記各食品用容器を提供する。
ラベルが、熱収縮によって装着される熱収縮性フィルムの場合、これを円筒状の胴部に熱収縮装着すると、ラベルが胴部周りに回転することがある。この点、胴部に縦方向に伸びる凹み部が形成されていることにより、装着された熱収縮性フィルムは、胴部の凹み部に対応する部分が略平面状に熱収縮するので、ラベルは部分的に多角形状になって装着される。従って、ラベルの容器本体に対する空転を防止することができる。
【００１２】
さらに、好ましい態様では、上記容器本体が、ポリプロピレンを主成分として含む樹脂成形品である上記各食品用容器を提供する。
容器本体がポリプロピレンを主成分として含む樹脂成形品で形成されていると、水蒸気バリア性に優れた食品用容器を構成できるので好ましい。
【考案の効果】
【００１３】
本考案の食品用容器は、光線等の主たる進入面となる容器の胴部全体がラベルで覆われており、且つ容器本体及びラベルの少なくとも何れか一方が遮光性を有するので、紫外線などの光線進入による食品の劣化を防止することができる。また、胴部全体がラベルで覆われている本考案の食品用容器は、容器本体の肉厚を比較的薄く形成しても遮光性を維持することもできるので、光線による食品の劣化を防ぎつつ、製造コストを抑えることができる。
【００１４】
また、本考案の食品用容器は、各好ましい態様により、遮光性やガスバリア性に優れ、又、容器使用時にラベルが空転することなどを防止できる。
【考案を実施するための最良の形態】
【００１５】
以下、本考案について、図面を参照しつつ具体的に説明する。
図１及び図２に於いて、１は、底部２１の周囲上方に筒状の胴部２２が立設された上面開口型の容器本体２と、容器本体２の胴部２２上方に取付けられ、且つ容器本体２の開口部２３を開閉可能な蓋部材３と、容器本体２の胴部２２周囲に装着されたラベル５と、を有する食品用容器を示す。
上記食品用容器１は、ラベル５及び容器本体２を通過して容器本体２内に進入する紫外線（例えば波長３７０〜４００ｎｍの光線）の光線透過率が１％以下となるように、ラベル５及び容器本体２の少なくとも何れか一方に遮光性が付与されている。
【００１６】
具体的には、容器本体２は、図２にも示すように、例えば、自立面となる底部２１の上方に円筒状の胴部２２が形成された上面開口型の容体からなる。
この胴部２２の上方位置には、内側に窪んだ段部２４が周設されており、該段部２４の上方には、蓋部材が取り付けられる上壁部２５が形成されている。この上壁部２５の外面には、蓋部材３に係合する係合凸部２６が周設されている。
また、胴部２２には、内側へ凹んだ凹み部２７が縦方向に伸びて形成されている。この凹み部２７は、胴部２２の上下位置中途部に設けられ、容器本体２の周方向に所定間隔を開けて複数設けられている。かかる凹み部２７が設けられた容器本体２は、強度的に優れ、胴部２２を比較的薄肉化してもその形状を維持できる。
【００１７】
容器本体２の肉厚は、特に限定されないが、余りに厚いとコスト高となり、一方、余りに薄くすると保形性に劣るため、保形性を維持しつつ比較的低コスト化できる点から、胴部２２の縦方向中途部に於ける肉厚が０．４〜０．８ｍｍ程度に形成されていることが好ましい。
【００１８】
容器本体２は、例えば、合成樹脂成形品で形成されている。この樹脂材料としては特に限定されず、ポリエチレンやポリプロピレンなどのポリオレフィン系樹脂、ポリエチレンテレフタレートやポリエチレンナフタレートなどのポリエステル系樹脂、ポリスチレン系樹脂、ポリ塩化ビニル、ポリカーボネート、アリレート樹脂などの熱可塑性樹脂等が挙げられる。これらの素材は単独で又は２種以上組み合わせて使用できる。中でも水蒸気バリア性に優れていることからポリプロピレン系樹脂（エチレン−プロピレン共重合体など）を用いることが好ましい。
容器本体２の成形方法は特に限定されず、従来公知の成形法にて形成でき、薄肉に形成する場合には、ブロー成形法にて形成することが好ましい。
【００１９】
また、容器本体２は、遮光性を付与するため、着色されている。容器本体２の色彩は特に限定されず、例えば、灰色、黒色、紺色、黄色、朱色、橙色などに着色することができる。これらの中では、光線による食品の劣化防止に優れた遮光性を有し、しかも、ラベル５のデザイン（着色）に影響を与え難いという理由から、灰色に着色されていることが好ましい。灰色の着色剤としては、カーボンブラックなどの黒色顔料と二酸化チタンなどの白色顔料を混合した着色剤や、酸化アルミニウムなどの着色剤などが挙げられ、これを容器本体２を形成するための樹脂組成物に配合し、これを成形する。
【００２０】
容器本体２の胴部２２は、上記色彩の選択と肉厚の設計によって、波長３７０〜４００ｎｍに於ける紫外線透過率が、５％以下、特に３％以下に形成されていることが好ましい。また、胴部２２は、波長４００〜８００ｎｍに於ける可視光線透過率が１０％以下、特に５％以下に形成されていることが好ましい。
【００２１】
蓋部材３は、容器本体２の上壁部２５に取付け可能な円筒状の取付用周壁部３１と、該取付用周壁部３１にヒンジ部３２を介して開閉可能に連結された開閉部３３と、を備えている。
取付用周壁部３１の内周面には、容器本体２の係合凸部２６に係合する被係合凸部３４が周設されている。蓋部材３は、容器本体２に取り付けた際に、取付用周壁部３１の下端部が容器本体２の段部２４に接するような縦方向長さに形成されている。
該蓋部材３は、取付用周壁部３１を容器本体２の開口部２３に位置合わせし、これを下方に押し込むことにより、胴部２２の係合凸部２６の下方に取付用周壁部３１の被係合凸部３４が噛み合って容器本体２に取り付けられている。蓋部材３の材質は、容器本体２で例示したような熱可塑性樹脂を用いることができる。
【００２２】
蓋部材３についても、胴部２２と同様に、波長３７０〜４００ｎｍに於ける紫外線透過率が、５％以下、特に３％以下に形成されていることが好ましく、又、胴部２２は、波長４００〜８００ｎｍに於ける可視光線透過率が１０％以下、特に５％以下に形成されていることが好ましい。
蓋部材３を上記光線透過率にする手段としては、蓋部材３の肉厚を胴部２２よりも厚く形成したり、或いは、蓋部材３を着色することが挙げられる。
もっとも、後述するように、蓋部材３の上面部に粘着ラベル４を貼付すれば、蓋部材３の上面に於けるバリア性（遮光性や防湿性）を維持できる。また、容器本体２に装着した際には、蓋部材３の取付用周壁部３１の内側に容器本体２の上壁部２５が位置するので、蓋部材３の取付用周壁部３１に於けるバリア性（特に遮光性）を維持できる。従って、蓋部材３自体が、上記光線透過率に形成されていない場合であっても、蓋部材３を介して光線等が進入することを防止できる。
【００２３】
次に、蓋部材３（開閉部２３）の上面には、粘着ラベル４が貼着されている。この粘着ラベル４は、基材４１の裏面に粘着剤４２が設けられ、外部から視認できるように、商品名、商標、注意書きなどの意匠表示（図示せず）が印刷されている。
この粘着ラベル４は、蓋部材３の上面をほぼ覆うように形成されており、例えば、蓋部材３の上面と略同形同大の円形状に形成されている。
粘着ラベル４の基材は特に限定されず、例えば、紙、合成樹脂フィルムなどの公知の基材を用いることができ、更に、遮光性やガスバリア性を付与する点からバリア性を有する基材を用いることが好ましい。遮光性を有する基材としては、アルミニウムなどの金属箔、アルミニウムなどの金属蒸着フィルムや同蒸着紙、遮光印刷した合成樹脂製フィルムなどが積層された積層フィルムを例示できる。また、後述するラベル５の基材として例示した、紫外線吸収・遮断剤にて処理されたフィルムなどを用いることもできる。
【００２４】
次に、容器本体２に装着されたラベル５は、筒状に形成された熱収縮性フィルムから構成されている。該筒状のラベル５は、例えば、熱収縮性フィルムを含む基材を筒状にしてその両側端部を重ね合わせ、該重ね合わせ部分を溶剤又は接着剤などで接着（センターシール５１）することによって形成されている。
該筒状のラベル５は、これを容器本体２の胴部２２に外嵌した後、加熱することにより、ラベル５の下端部が容器本体２の底部２１周囲に密着し且つラベル５の上端部が容器本体２の段部２４に密着して装着されている。
従って、容器本体２の胴部２２は、上壁部２５を除いてラベル５によって覆われている。また、ラベル５の上端部が、蓋部材３の取付用周壁部３１の下端部に重なっている。
具体的には、図３に示すように、ラベル５の上端部５ａは、胴部２２の上から押し込まれた蓋部材３の取付用周壁部３１の下端部３１ａによって押圧されている。従って、ラベル５の上端部５ａと取付用周壁部３１の下端部３１ａは、強く接した状態で重なっている。
【００２５】
筒状のラベル５を構成する基材は、少なくとも一方向（筒状に形成した際に於ける周方向。以下同じ）に熱収縮性を有するものであればその材質は特に限定されず、例えば、ポリエチレンテレフタレートなどのポリエステル系樹脂、ポリプロピレンなどのオレフィン系樹脂、ポリスチレン、スチレン−ブタジエン共重合体などのスチレン系樹脂、環状オレフィン系樹脂、塩化ビニル系樹脂などの熱可塑性樹脂からから選ばれる１種、又は２種以上の混合物などからなる合成樹脂製フィルムなどの公知のフィルムを用いることができる。また、熱収縮性を有する２種以上の樹脂が積層された積層フィルムを用いることもできる。さらに、熱収縮性を有するフィルムに発泡樹脂シート等の断熱層やその他の機能層が積層された公知の積層フィルムを用いることもできる。
さらに、ガスバリア性を有するフィルム、例えば、シリカ蒸着フィルム、ポリ塩化ビニリデンやエチレン−ビニルアルコール共重合体などのガスバリア性フィルムが積層された積層フィルムを用いることもできる。
【００２６】
また、ラベル５に遮光性を付与するため、ラベル５の基材は、波長３７０〜４００ｎｍに於ける紫外線透過率が、５％以下、特に３％以下のものを用いることが好ましく、更に、波長４００〜８００ｎｍに於ける可視光線透過率が１０％以下、特に５％以下のものを用いることが好ましい。
このような基材としては、灰色、黒色、黄色、朱色、橙色などを呈する着色剤が配合された樹脂組成物を製膜したフィルム若しくは該着色剤を含むインキをベタ状に印刷したフィルムなどのような着色した熱収縮性フィルムや、紫外線吸収・遮断剤にて処理された熱収縮性フィルムなどが挙げられる。紫外線吸収・遮断剤にて処理されたフィルムとしては、紫外線吸収・遮断剤を配合した樹脂組成物にて製膜された熱収縮性フィルム、紫外線吸収・遮断剤を浸透させた熱収縮性フィルム、紫外線吸収・遮断剤を含むインキをベタ状に塗工した熱収縮性フィルムなどが挙げられる。紫外線吸収・遮断剤としては、ベンゾトリアゾール系化合物、ベンゾフェノン系化合物、シアノアクリレート系化合物、サリシレート系化合物などの有機系紫外線吸収剤、酸化チタン、酸化亜鉛、酸化セリウムなどの無機系紫外線遮断剤などを用いることができる。
【００２７】
基材の厚みは、特に限定されないが、通常２０〜６０μｍ程度のものが用いられる。
基材の熱収縮率としては、熱収縮により容器本体２に密着可能な程度であれば特に限定されないが、通常、一方向に於ける熱収縮率（９０℃温水中に１０秒間浸漬）は約４０％以上、好ましくは約５０％以上のものが例示される。また、基材は、一方向と直交する方向に若干熱収縮してもよく、かかる直交方向に於ける熱収縮率（９０℃温水中に１０秒間浸漬）は、約−３〜１５％程度のものが例示される。
但し、熱収縮率（％）＝［｛（一方向（又は直交方向）の元の長さ）−（一方向（又は直交方向）の浸漬後の長さ）｝／（一方向（又は直交方向）の元の長さ）］×１００。
【００２８】
上記筒状のラベル５には、外部から視認できるように、商品名、商標、注意書きなどの意匠表示（図示せず）が印刷されている。
この意匠表示は、所望のデザインを適宜選択して成されるが、本考案の食品用容器１は、蓋部材３とラベル５が容器の正面外観となることから、ラベル５の意匠表示は、蓋部材３とデザイン上の一体感を成すものが好ましい。例えば、蓋部材３が白色である場合には、ラベル５の意匠表示を白を基調にすることでデザイン上の統一を図ることができ、外観上好ましい。
【００２９】
上記食品用容器１は、容器本体２に筒状のラベル５を外嵌し、熱収縮装着した後、蓋部材３を押し込んで嵌めることにより得ることができる。尚、必要に応じて、食品用容器１の周囲全体を、オーバーラップフィルムにて包装してもよい。
【００３０】
本考案の食品用容器１に収納される食品は、特に限定されず、粒状のチューインガム、キャンディ、チョコレート、スナック類などの菓子類、ふりかけ、調味料などの粒状物、乾物など任意の食品を収納できる。
【００３１】
上記食品用容器１は、容器本体２の胴部２２周囲にラベル５が装着され、このラベル５の下端部が容器本体２の底部２１周囲に至り、且つラベル５の上端部が蓋部材３の取付用周壁部３１に密着しているので、光線等の主たる進入面となる容器本体２の胴部２２全体がラベル５で覆われている。
従って、光線等は、ラベル５と胴部２２の２層を通過して容器内に進入することとなる。
そして、上記食品用容器は、ラベル５及び容器本体２の胴部２２を通過する紫外線の透過率が１％以下に形成されているので、光線の進入を良好に遮断することができ、必要に応じて、容器本体２の胴部２２を薄肉化することもできる。
【００３２】
また、蓋部材３が、容器本体２の上から押し込むことによって取付けられているので、蓋部材３の取付用周壁部３１の下端部が、ラベル５の上端部を押圧し、蓋部材３とラベル５の境界に隙間が生じ難い。従って、蓋部材とラベルの間の気密性を確保でき、この間を通じて胴部２２とラベル５の間に水蒸気などが進入することを防止できる。また、蓋部材３の下端部が、ラベル５の上端部を押圧して強く接しているので、ラベル５の容器本体２に対する空転を防止することができる。
さらに、容器本体２は、その胴部２２に縦方向に伸びる凹み部２７が設けられているので、蓋部材３を押し込む際の押圧力にも耐えうる強度を有する。
【００３３】
さらに、容器本体２の胴部２２には、縦方向に伸びる凹み部２７が形成されているので、胴部２２の強度を向上できる上、熱収縮装着されたラベル５は、凹み部２７の対応位置に於いて（円弧状とならずに）略平坦状に装着される（図１の断面図を参照）。従って、ラベル５は部分的に多角形状となって装着されるので、ラベル５の容器本体２に対する空転を防止することができる。
【００３４】
次に、本考案の変形例を示す。但し、上記実施形態と異なる部分について主として説明し、同様の構成及び効果については説明を省略し、用語及び図番を援用する場合がある。
上記実施形態では、ラベル５は、予め筒状に成形された熱収縮性フィルムを用いているが、必ずしも予め筒状に成形されたものを用いる場合に限定されず、容器本体２に装着した際に筒状に成形される熱収縮性フィルムを用いることもできる。例えば、熱収縮性フィルムとして縦一軸延伸フィルムを用い、該フィルムの主延伸方向が容器本体２の胴部２２の周方向となるようにして、熱収縮性フィルムの一側端を胴部２２に貼付し、該フィルムを胴部２２の周方向に巻き回し、フィルムの他側端を前記一側端に重ね合わせて貼付することにより、筒状に巻付けられた熱収縮性フィルムをラベル５として用いることも可能である。このように胴部２２に巻付けられた熱収縮性フィルムは、予め筒状に成形されたものと同様に、加熱により熱収縮装着される。
【００３５】
さらに、ラベル５の少なくとも上下端部の周方向内面に、感熱接着剤などの接着剤を周設してもよい。このように接着剤を設けることで、ラベル５の上下端部と容器本体２の間が気密状となるので、ガスの進入を確実に防止できるので好ましい。
【００３６】
さらに、上記実施形態では、ラベル５の上端部が蓋部材３に重なるように、蓋部材３の下端部に接しているが、例えば、図３に示すように、ラベル５の上端部５ａが、蓋部材３の取付用周壁部３１の外面に接するようにラベル５が装着されていてもよい。
かかる食品用容器１は、容器本体２に蓋部材３を取り付けた後、ラベル５の上端部５ａが蓋部材３の取付用周壁部３１の周囲に重なるように、ラベル５を外嵌し、熱収縮させることにより得ることができる。このようにラベル５の上端部が取付用周壁部３１の周囲に重なるように装着されている場合であっても、上記実施形態と同様に、光線等の主たる進入面となる容器本体２の胴部２２全体をラベル５で覆うことができ、又、蓋部材３の開閉部３３の開閉操作に支障を来さない。
【００３７】
また、上記実施形態では、胴部２２の上方に段部２４が形成された容器本体２を例示したが、容器本体２の構成はこれに限定されず、例えば、図４に示すように、胴部２２の上方に次第に小径となる肩部２８が形成されているものでもよい。
さらに、容器本体２は、胴部２２が円筒状に形成されているものに限られず、四角筒状などの多角筒状に形成されていてもよい。また、図４に示すように、縦方向に伸びる凹み部２７を有しない胴部２２でもよい。
【００３８】
また、蓋部材３についても上記実施形態のものに限られず、例えば、図４に示すように、蓋部材３が容器本体２にネジ作用によって取り付けられるものや、その他図示しないが、接着剤によって容器本体２に取り付けられるものでもよい。
さらに、蓋部材３の開閉部３３は、例えば同図に示すように、蓋部材３の上面の一部分が薄肉状のヒンジ部３２を介して開閉されるように構成されていてもよい。
さらに、蓋部材３から光線等が進入することをより防止することができることから、上記実施形態のようにバリア性を有する粘着ラベル４を貼付することが好ましいが、バリア性を確保できる程度に蓋部材３の肉厚を厚く形成すれば、遮光性及び／又はガスバリア性を殆ど有しない粘着ラベル４を貼付したり、或いは、同図に示すように、蓋部材３の上面に粘着ラベル４を設けない態様も可能である。
【００３９】
また、上記各実施形態に於いて、ラベル５の下端部は、図１などに示すように、容器本体２の底部２１周囲から内側に折れ曲げられて装着されているが、本考案に係る容器は、ラベル５の下端部が、少なくとも容器本体２の底部周囲にまで装着されているものであればよい。例えば、図６に示すように、ラベル５の下端部５ｂが、容器本体２の底部２１周囲にほぼ一致する位置にまで装着されている態様も本考案に含まれる。
【図面の簡単な説明】
【００４０】
【図１】本考案の食品用容器の一実施形態を示す縦断面を含む正面図。
【図２】同容器の分解正面図。
【図３】図１の部分拡大図。
【図４】食品用容器の他の実施形態を示す縦断面を含む正面図。
【図５】食品用容器の他の実施形態を示す縦断面を含む正面図。
【図６】食品用容器の他の実施形態を示す縦断面を含む正面図。
【符号の説明】
【００４１】
１…食品用容器、２…容器本体、２１…底部、２２…胴部、２３…開口部、２６…係合凸部、２７…凹み部、３…蓋部材、３１…取付用周壁部、３１ａ…蓋部材の下端部、３３…開閉部、３４…被係合凸部、５…ラベル、５ａ…ラベルの上端部
【図１】
0003122242.tif 000003
【図２】
0003122242.tif 000004
【図３】
0003122242.tif 000005
【図４】
0003122242.tif 000006
【図５】
0003122242.tif 000007
【図６】
0003122242.tif 000008